(57)【要約】      （修正有）【課題】より立体的で趣向を凝らすとともに、メモ内容の秘匿性を高めた付箋シートを提供する。【解決手段】２本の平行な第１折曲線Ａおよび第２折曲線Ｂによって挟まれたシート片本体２と、第１折曲線Ａに沿ってシート片本体２の表面側に谷折りされる第１折曲片３と、第２折曲線Ｂに沿ってシート片本体２の表面側に谷折りされる第２折曲片４とを含み、第１折曲片２の裏面側にほぼ全面にわたって粘着面を設け、第２折曲線Ｂに沿って谷折りされた第２折曲片４の表面側を粘着面の一部に貼り付け、メモ欄が内側となるように第１折曲片３および第２折曲片４によって立体的な筒状にして隠す。【選択図】図３
0003194004.tif 000002
【実用新案登録請求の範囲】
【請求項１】
１枚のシート片の表面側にメモ書き用のメモ欄を備え、上記シート片の裏面側に上記シート片を所定の貼着部位へと貼着するための粘着剤が塗布された粘着面を有する付箋シートにおいて、
上記シート片は、２本の平行な第１折曲線および第２折曲線によって挟まれたシート片本体と、上記第１折曲線に沿って上記シート片本体の上記表面側に谷折りされる第１折曲片と、上記第２折曲線に沿って上記シート片本体の上記表面側に谷折りされる第２折曲片とを含み、
上記第１折曲片の裏面側には、ほぼ全面にわたって上記粘着面が形成されており、上記第２折曲線に沿って谷折りされた上記第２折曲片の表面側を、上記第１折曲片の上記粘着面の一部に貼り付けることにより、上記メモ欄が上記第１折曲片および上記第２折曲片によって隠され、上記シート片が立体的な筒状に形成されることを特徴とする付箋シート。
【請求項２】
上記シート片本体の幅をＷ１、上記第１折曲片の幅をＷ２、上記第２折曲片の幅をＷ３としたとき、上記シート片は、
Ｗ１＞Ｗ２，Ｗ１＞Ｗ３
を満足することを特徴とする請求項１に記載の付箋シート。
【請求項３】
上記第１折曲片の下端から上端に至る高さをＨ１、上記第２折曲片の下端から上端に至る高さをＨ２としたとき、上記シート片は、
Ｈ１＞Ｈ２
を満足し、上記第１折曲片の粘着面に上記第２折曲片を貼り合わせた際、上記粘着面の残部が外に露出し、上記残部を上記貼着部位に貼着することを特徴とする請求項１または２に記載の付箋シート。
【請求項４】
上記シート片本体には、立体的な装飾効果を得るための第１装飾片が一体的に設けられていることを特徴とする請求項１ないし３のいずれか１項に記載の付箋シート。
【請求項５】
上記第１装飾片と上記シート片との境界部には、上記シート片本体から上記第１装飾片の一部を切り離すための切れ目が設けられていることを特徴とする請求項４に記載の付箋シート。
【請求項６】
上記第１折曲片および／または上記第２折曲片には、上記第１装飾片と協調して立体装飾効果を得るための第２装飾片が設けられていることを特徴とする請求項４または５に記載の付箋シート。
【請求項７】
上記第１折曲片および／または上記第２折曲片には、第２のメモ欄と、上記第１折曲片と上記第２折曲片とを貼り合わせた状態から展開状態に戻す際、手によって把持されるタブ部とが設けられていることを特徴とする請求項１ないし６のいずれか１項に記載の付箋シート。
【考案の詳細な説明】
【技術分野】
【０００１】
本考案は、１枚のシート片の表面側にメモ書き用のメモ欄を備え、裏面の一部に貼着用の粘着面が設けられた付箋シートであって、さらに詳しく言えば、より立体的な装飾性を有する付箋シートに関する。  
【背景技術】
【０００２】
簡易的なメモ書きを残す文具の１つに付箋シートがある。例えば特許文献１に示すように、付箋シートは、矩形状のシート片の一方の面をメモ書き面とし、他方の面の一部に再剥離性を有する粘着剤を塗布した粘着面を有し、そのシート片を厚さ方向に複数枚を積層して、ユーザーがその都度、１枚ずつ剥がし取ってメモ書きし、本やデスクなどに貼り付けて使用する方法が一般的である。
【０００３】
また、より趣向性を持たせた付箋紙として、例えば特許文献２がある。この付箋紙は、メモ欄を隠すように折り畳み、その一端を他端側に係止することによって、メモ欄に書かれた内容を外部から隠すことができる付箋が提案されている。
【０００４】
特許文献２によれば、メモ欄に書かれた内容を外部から見えないように隠すことができるばかりでなく、その一部が立体的に形成されるため、より装飾性が高くなり、ユーザーの認識度や注目度を高めて、付箋の存在を確実に認識させることができるという利点も生まれる。
【０００５】
しかしながら、従来のこの種の付箋は、立体的とはいっても単純に２つ折して一部を立体的に見せるだけであって、より立体的で装飾性を凝らしたものはない。また、特許文献２に記載の付箋は、係止爪によって紙片を引っ掛けているため、風や衝撃で係止が解け、メモ欄が晒されてしまうおそれもある。
【先行技術文献】
【特許文献】
【０００６】
【特許文献１】実用新案登録第３１４９９９２号公報
【特許文献２】実用新案登録第３１１６１６４号公報
【考案の概要】
【考案が解決しようとする課題】
【０００７】
そこで、本考案は、より立体的で趣向を凝らすとともに、メモ内容の秘匿性を高めた付箋シートを提供することにある。
【課題を解決するための手段】
【０００８】
上述した課題を解決するため、本考案は、１枚のシート片の表面側にメモ書き用のメモ欄を備え、上記シート片の裏面側に上記シート片を所定の貼着部位へと貼着するための粘着剤が塗布された粘着面を有する付箋シートにおいて、上記シート片は、２本の平行な第１折曲線および第２折曲線によって挟まれたシート片本体と、上記第１折曲線に沿って上記シート片本体の上記表面側に谷折りされる第１折曲片と、上記第２折曲線に沿って上記シート片本体の上記表面側に谷折りされる第２折曲片とを含み、上記第１折曲片の裏面側には、ほぼ全面にわたって上記粘着面が形成されており、上記第２折曲線に沿って谷折りされた上記第２折曲片の表面側を、上記第１折曲片の上記粘着面の一部に貼り付けることにより、上記メモ欄が上記第１折曲片および上記第２折曲片によって隠され、上記シート片が立体的な筒状に形成されることを特徴としている。
【０００９】
より好ましい態様として、上記シート片本体の幅をＷ１、上記第１折曲片の幅をＷ２、上記第２折曲片の幅をＷ３としたとき、上記シート片は、Ｗ１＞Ｗ２，Ｗ１＞Ｗ３を満足することを特徴としている。
【００１０】
さらに好ましい態様として、上記第１折曲片の下端から上端に至る高さをＨ１、上記第２折曲片の下端から上端に至る高さをＨ２としたとき、上記シート片は、Ｈ１＞Ｈ２を満足し、上記第１折曲片の粘着面に上記第２折曲片を貼り合わせた際、上記粘着面の残部が外に露出し、上記残部を上記貼着部位に貼着することを特徴としている。
【００１１】
また、上記シート片には、立体的な装飾効果を得るための第１装飾片が上記シート片本体と一体的に設けられている。より好ましい態様として、上記第１装飾片と上記シート片との境界部には、上記シート片から上記第１装飾片の一部を切り離すための切れ目が設けられていることが好ましい。
【００１２】
また、好ましい態様として、上記第１折曲片および／または上記第２折曲片には、上記第１装飾片と協調して立体装飾効果を得るための第２装飾片が設けられていることを特徴としている。
【００１３】
さらに好ましい態様として、上記第１折曲片および／または上記第２折曲片には、第２のメモ欄と、上記第１折曲片と上記第２折曲片とを貼り合わせた状態から展開状態に戻す際、手によって把持されるタブ部とが設けられていることを特徴としている。
【考案の効果】
【００１４】
本考案によれば、立体的で趣向を凝らすとともに、秘匿性を高めた付箋シートが得られる。さらには、立体的な筒状に形成したことにより、シート片が手前に突出してより立体感が得られる。
【図面の簡単な説明】
【００１５】
【図１】本考案の一実施形態に係る付箋シートの（ａ）表面側および（ｂ）裏面側を示す平面展開図。
【図２】（ａ）〜（ｄ）上記付箋シートの組立手順の一例を示す模式図。
【図３】上記付箋シートを立体的に組み立てた使用状態を示す参考斜視図。
【図４】（ａ）〜（ｅ）上記付箋シートの各種変形例を示す平面展開図。
【考案を実施するための形態】
【００１６】
次に、本考案の実施形態について図面を参照しながら説明するが、本考案はこれに限定されるものではない。
【００１７】
図１（ａ），（ｂ）に示すように、この付箋シート１は、１枚の紙製のシート片を打ち抜き加工したものからなり、表面側にメモ書き用のメモ欄Ｍが設けられている。なお、以下において説明の便宜上、図１（ａ）を付箋シート１の表面とし、図２（ｂ）をその裏面とする。この実施形態において、付箋シート１の表面側が実質的なメモ書き欄として用いられる。
【００１８】
付箋シート１は、紙製シート片が用いられているが、ペンや鉛筆などで記入可能な表面を備えていれば、その材質は樹脂製などであってもよい。また、付箋シート１は、図面上、１枚のみを例示したが、実際には、厚さ方向に沿って複数枚が積層された状態で提供され、使用時にはユーザーが一枚ずつ剥がして使用される。
【００１９】
付箋シート１は、２本の平行な第１折曲線Ａおよび第２折曲線Ｂによって挟まれたシート片本体２と、第１折曲線Ａに沿ってシート片本体２の表面側に谷折りされる第１折曲片３と、第２折曲線Ｂに沿ってシート片本体２の表面側に谷折りされる第２折曲片４とを備えている。
【００２０】
付箋シート１は、シート片本体２、第１折曲片３および第２折曲片４の下端側を基準辺として同一線上に形成され、下端片と基準として、上端側は各片毎に高さおよび形状が異なっている。
【００２１】
シート片本体２は、下端から上端片に向かって延在する矩形状であって、その上端には立体的な装飾効果を得るための第１装飾片２１が設けられている。この実施形態において、第１装飾片２１は、鮫型に型抜きされており、裏面側（図１（ｂ）側）には鮫のイラストレーションと波しぶき、さらにオットセイの各図柄が印刷されている。
【００２２】
第１装飾片２１は、その最大幅がシート片本体２の幅Ｗ１よりも大きく形成されており、シート片本体２の左右両側に大きく張り出すように形成されている。なお、第１装飾片２１はシート片本体２と連続するように一体的に設けられていれば、その幅や高さは任意に変更可能である。第１装飾片２１は、シート片本体２との連結部２３の幅をＷ４としたとき、連結部２３の幅Ｗ４が、シート片本体２の幅Ｗ１よりも狭くなる（Ｗ４＜Ｗ１）ように両側から切れ目２２が設けられている。なお、第１装飾片２１の下端の幅がシート片本体２の幅Ｗ１と同じか狭いとき、この切れ目２２は無くてもよい。
【００２３】
第１装飾片２１の一部は、後述する第１折曲片３および第２折曲片４の一部にもかかるように形成されており、切れ目２２の一端は、第２折曲片４の切れ目４２に連なって形成されている。
【００２４】
これによれば、図３に示すように、第１および第２折曲片３，４を折り畳んで粘着面３２を介して貼り合わせた際に、シート片本体２の上端側にある第１装飾片２１が立体的に切り起こされ、より装飾性を高めてユーザーに対して面白味のある表現を行うことができる。
【００２５】
次に、第１折曲片３は、第１折曲線Ａを挟んでシート片本体２の幅方向の一端側（図１（ａ）では左端側）に一体的に形成されている。この第１折曲片３は、その幅Ｗ２が、シート片本体２の幅Ｗ１よりも小さく（Ｗ２＜Ｗ１）となるように形成されている。
【００２６】
これによれば、第１折曲片３と第２折曲片４とを貼り合わせて立体的な筒状に形成することにより、中央のシート片本体２がアーチ状に張り出すように形成されるため、より立体感がある装飾効果が得られる。さらには、貼付面（粘着面３２）側はフラットになるため、粘着面３２を貼着部位に貼りやすい。
【００２７】
第１折曲片３の上端側には、第２装飾片３１が第１折曲片３と連続するように一体的に形成されている。第２装飾片３１は、第２装飾片２１の高さ位置とほぼ同じ位置に形成されており、この実施形態においては、第１装飾片２１に合わせて鮫型に型抜きされている。第２装飾片３１の表面側（図１（ａ）側）には、鮫の尾鰭のイラストレーション柄に加え、波しぶき柄が印刷されている。
【００２８】
これによれば、図３に示すように、第１折曲片３をシート片本体２の表面側に折り畳むことにより、第１装飾片２１（鮫本体の図柄）の裏面側に第２装飾片３１（鮫の尾鰭の図柄）が配置されるため、各装飾片２１，３１が前後に所定の隙間を持って配置されるため、それらが互いに協調し合ってより立体的な装飾効果が得られる。
【００２９】
第１折曲片３の裏面側（図１（ｂ）側）には、ほぼ全面にわたって粘着剤が塗布された粘着面３２が形成されている。この実施形態において、粘着剤は、繰り返し剥がして張れる再剥離性を有する粘着剤が用いられているが、本考案において、粘着剤の組成は特に限定されず、仕様に応じて任意に選択されてよい。
【００３０】
また、粘着面３２は、第１折曲片３の裏面側（図１（ｂ）側）の全面にわたって塗布されているが、例えばドット状や縞状などに塗布されてもよく、その塗工方法や塗工パターンについても仕様に応じて任意に選択されてよい。
【００３１】
第２折曲片４は、第２折曲線Ｂを挟んでシート片本体２の幅方向の他端側（図１（ａ）では右端側）に一体的に形成されている。第２折曲片４は、その幅Ｗ３が、シート片本体２の幅Ｗ１よりも小さく（Ｗ３＜Ｗ１）となるように形成されている。
【００３２】
第２折曲片４の幅方向の一端側（図１（ａ）では右端側）には、折り畳まれた付箋シート１を再び平面状態に展開する際に、手によって把持されるタブ部４１が設けられている。タブ部４１は、第１折曲片３の幅Ｗ２よりも第２折曲片４の幅が若干大きくなるように張り出して形成されており、この実施形態においては、表面側に一目して判別しやすいように黄色に塗られ、さらに「ＯＰＥＮ」の文字が印刷されている。これによれば、付箋シート１を平面状態に展開することが容易となり、また、メモ情報を読むように仕向けることができる。
【００３３】
ここで、第１折曲片３の下端辺から上端辺までの高さをＨ１、第２折曲片４の下端辺から上端辺にまでの高さをＨ２としたとき、第１折曲片３と第２折曲片４は、Ｈ１＞Ｈ２を満足するように形成されている。
【００３４】
これによれば、第１折曲片３の方が第２折曲片４よりも大きく形成されているため、第１折曲片３の粘着面３２に第２折曲片４の一部を貼り合わせた際、第１折曲片３の粘着面３２の一部が未使用粘着面として残り、この未使用粘着面を例えばデスクや壁、ＰＣモニタなどの貼着部位に貼り付けることにより、立体的な装飾を維持した状態のまま、付箋シートを任意の貼着部位に貼り付けることができる。
【００３５】
この実施形態において、付箋シート１は、シート片本体２、第１折曲片３および第２折曲片４の下端側を基準辺として同一線上に形成されているが、上述したＨ１＞Ｈ２を満足すれば、下端側は同一線上に形成されなくてもよい。
【００３６】
この実施形態において、シート片本体２の高さは、第１折曲片３の高さＨ１よりも高く形成されているが、シート片本体２の高さは仕様に応じて任意に選択されてよい。また、第２折曲片４は、第１折曲片３の中央や上端側に貼り付けられてもよく、すなわち、粘着面３２の残部は上だけでなく、下にも存在してもよい。
【００３７】
次に、図２（ａ）〜（ｄ）を参照して、この付箋シート１の使用手順の一例について説明する。まず、ユーザーは、図２（ａ）に示すように、付箋シート１を表面を上に置き、メモ欄Ｍにペンなどを使って必要な情報を書き込む。
【００３８】
メモ欄Ｍへの記入が完了すると、図２（ｂ）に示すように、ユーザーは、まず、第１折曲片３を第１折曲線Ａに沿ってシート片本体２の表面側に対して谷折りする。これにより、シート片本体２の表面側に第１折曲片３の粘着面３２が現れる。
【００３９】
次に、図２（ｃ）に示すように、第２折曲片４を第２折曲線Ｂに沿ってシート本体３の表面側に向かって谷折りしたのち、第２折曲片４の表面側を第１折曲片３の粘着面３２に貼り付ける。
【００４０】
その際、図１（ｄ）に示すように第１折曲片２の端片と、第２折曲線Ｂとが、同一線上に重なるように貼り付けることにより、第１折曲片３の外側に第２折曲片４のタブ部４１が張り出すようになっている。
【００４１】
これによれば、図３に示すように、付箋シート１は、シート片本体２のメモ欄Ｍが左右の第１および第２折曲片３，４によって折り畳まれるように隠され、中に書かれたメモ情報が露出することがない。
【００４２】
また、シート片本体２の幅Ｗ１に対して、第１折曲片３のシート幅Ｗ２と第２折曲片４のシート幅Ｗ３が小さい（Ｗ１＞Ｗ２，Ｗ１＞Ｗ３）ため、第１折曲片３と第２折曲片４とを貼り合わせる。これによれば、第１折曲片３と第２折曲片４とを貼り合わせた際、シート片本体２がアーチ状に湾曲し、より立体的な装飾効果が得られる。
【００４３】
その際、付箋シート１の上端側には、第１装飾片２１と第２装飾片３１とが前後に空隙を持って配置されることで、前後の装飾片２１，３１が互いに協調し合ってより立体的な装飾となり、ユーザーに対して興味や注意を引くことができる。
【００４４】
さらには、第１折曲片３と第２折曲片４とを貼り合わせても、粘着面３２の一部が未粘着面として露出していることにより、その未粘着面を利用して、机や壁などに付箋シート１を貼り付けて、固定することができる。
【００４５】
この実施形態において、第１および第２装飾片２１，３１は鮫柄のイラストレーションを例にとって説明したが、これ以外のイラストレーションが採用されてもよい。その具体例な変形例を図４に示す。
【００４６】
図４（ａ）は、キリンを模したイラストレーションである。図４（ｂ）は、フクロウを模したイラストレーションであって、メモ欄には夜景柄が印刷されている。図４（ｃ）は、ゾウと木のイラストレーションが記載されている。図４（ｄ）は、ライオンとシロクマのイラストレーションが記載されており、図４（ｅ）は、サルの親子柄が印刷されている。
【００４７】
このように第１および装飾片２１，３１の形状および印刷柄は仕様に応じて任意に選択されてよい。また、この実施形態において、メモ欄Ｍは表面側にのみ記載されているが、裏面側に設けられてもよい。さらには、図４に示すように、各装飾片２１，３１の一部に第２のメモ欄が設けられてもよい。第２のメモ欄は、例えばマンガの吹き出し図柄のような態様が一例としてあげられる。
【００４８】
以上説明したように、本考案によれば、第１折曲片３と第２折曲片４を折り畳んで、粘着面で固定することにより、メッセージの書かれたメモ欄Ｍが筒状の内側に配置されるため、メッセージの秘匿性を高めることができるとともに、より立体的な装飾性のある付箋シートが得られる。
【符号の説明】
【００４９】
１  付箋シート
２  シート片本体
２１  第１装飾片
２２  切れ目
２３  連結部
３  第１折曲片
３１  第２装飾片
３２  粘着面
４  第２折曲片
４１  タブ部
４２  切れ目
Ａ  第１折曲線
Ｂ  第２折曲線
Ｍ  メモ欄
【図１】
0003194004.tif 000003
【図２】
0003194004.tif 000004
【図３】
0003194004.tif 000005
【図４】
0003194004.tif 000006